【事件の表示】
　特許第３４０９２６０号「画像印刷装置および方法、並びにプログラム」の請求項１ないし６に係る特許に対する特許異議の申立てについて、次のとおり決定する。
【結　論】
　訂正を認める。
　特許第３４０９２６０号の請求項１ないし６に係る特許を維持する。
【理　由】
第１　【手続きの経緯】
　本件特許第３４０９２６０号の発明は、平成１３年７月１１日に特許出願され、平成１５年３月２０日にその特許の設定登録がなされ、その後、その特許について、異議申立人上杉則亮より特許異議の申立てがなされ、取消しの理由が通知され、その指定期間内である平成１６年７月２７日に訂正請求がなされたものである。　　　　　　　　　　　　　　　　　　　　　　　　
第２　【訂正の適否についての判断】
　１　［訂正の内容］
　特許権者が求めている訂正の内容は、以下の（１）ないし（５）のとおりである。
　（１）訂正事項ａ
　特許請求の範囲の請求項１ないし６の記載を次のとおりに訂正する。
「【請求項１】　
ユーザが自分自身の撮影を行う撮影空間、並びに、互いに異なる組のユーザが前記撮影により得られた自分目身の画像に対する編集をそれぞれ行う第１の編集空間および第２の編集空間が互いに異なる位置に設けられており、各空間を用いて前記撮影および前記編集を各組のユーザに行わせ、前記編集により編集された前記画像の印刷を行い、編集された前記画像が印刷されたシールシートまたは紙を提供する画像印刷装置であって、
前記
前記ユーザ
　前記撮影空間において、前記撮影手段により撮影された
前記ユーザ
　前記撮影手段による撮影が終了した際に、
前記第１の編集空間
前記ユーザ
　前記第１の判定手段により、前記第１の編集空間において
前記ユーザ
前記ユーザ
前記ユーザ
　前記第２の表示手段により表示された
前記ユーザ
　前記第１の入力受け付け手段により受け付けられた前記編集入力に基づいて、
前記ユーザ
　前記第１の判定手段により、前記第１の編集空間において
前記ユーザ
前記第２の編集空間
前記ユーザ
　前記第２の判定手段により、前記第２の編集空間において
前記ユーザ
前記ユーザ
　前記第３の表示手段により表示された
前記ユーザ
　前記第２の入力受け付け手段により受け付けられた前記編集入力に基づいて、
前記ユーザ
　前記第１の編集手段により編集された
前記ユーザ
前記ユーザ
前記シールシートまたは前記紙
　前記印刷手段により
前記ユーザ
　を備えることを特徴とする画像印刷装置。
　【請求項２】　前記画像印刷装置の所定の面を基準として、前記第１の表示手段は、前記画像印刷装置の正面に配置され、前記第２の表示手段は、前記画像印刷装置の右側面に配置され、前記第３の表示手段は、前記画像印刷装置の左側面に配置される
　ことを特徴とする請求項１に記載の画像印刷装置。
　【請求項３】　前記第１の表示手段は、前記撮影空間において撮影が終了されたとき、前記第１の編集空間、または前記第２の編集空間への移動を案内する案内画面をさらに表示する
　ことを特徴とする請求項１または２に記載の画像印刷装置。
　【請求項４】　前記第１の判定手段および前記第２の判定手段により、前記第１の編集空間と前記第２の編集空間のいずれにおいても編集を行うことができないと判定されたとき、前記第１の編集空間または前記第２の編集空間において編集を行うことができるようになるまでの期間、
前記ユーザ
　ことを特徴とする請求項１乃至３のいずれかに記載の画像印刷装置。
　【請求項５】　
ユーザが自分自身の撮影を行う撮影空間、並びに、互いに異なる組のユーザが前記撮影により得られた自分自身の画像に対する編集をそれぞれ行う第１の編集空間および第２の編集空間が互いに異なる位置に設けられており、各空間を用いて前記撮影および前記編集を各組のユーザに行わせ、前記編集により編集された前記画像の印刷を行い、編集された前記画像が印刷されたシールシートまたは紙を提供する画像印刷装置の画像印刷方法であって、
　
前記
前記ユーザ
　前記撮影空間において、前記撮影ステップの処理により撮影された
前記ユーザ
　前記撮影ステップの処理による撮影が終了した際に、
前記第１の編集空間
前記ユーザ
　前記第１の判定ステップの処理により、前記第１の編集空間において
前記ユーザ
前記ユーザ
前記ユーザ
　前記第２の表示ステップの処理により表示された
前記ユーザ
　前記第１の入力受け付けステップの処理により受け付けられた前記編集入力に基づいて、
前記ユーザ
　前記第１の判定ステップの処理により、前記第１の編集空間において
前記ユーザ
前記第２の編集空間
前記ユーザ
　前記第２の判定ステップの処理により、前記第２の編集空間において
前記ユーザ
前記ユーザ
　前記第３の表示ステップの処理により表示された
前記ユーザ
　前記第２の入力受け付けステップの処理により受け付けられた前記編集入力に基づいて、
前記ユーザ
　前記第１の編集ステップの処理により編集された
前記ユーザ
前記ユーザ
前記シールシートまたは前記紙
　前記印刷ステップの処理により
前記ユーザ
　を含むことを特徴とする画像印刷方法。
　【請求項６】　請求項５に記載の画像印刷方法をコンピュー夕に実行させるプログラム。」（下線部は訂正個所）　　
　（２）訂正事項ｂ
　特許明細書の段落【０００６】の記載を次のとおりに訂正する。
「【課題を解決するための手段】
　本発明の画像印刷装置は、撮影空間において、
ユーザ
ユーザ
際に、第１の編集空間
ユーザ
ユーザ
ユーザ
ユーザ
ユーザ
ユーザ
ユーザ
場合、第２の編集空間
ユーザ
ユーザ
ユーザ
ユーザ
ユーザ
ユーザ
ユーザ
ユーザ
　（３）訂正事項ｃ
　特許明細書の段落【０００７】の記載を次のとおりに訂正する。
「撮影手段は、例えば、図１の撮影装置２０により構成され、第１の表示手段は、例えば、図１の撮影用モニタ４１により構成され、第１の判定手段は、例えば、図１１のステップＳ１４の処理を実行する図８のＣＰＵ２０１により構成され、第２の表示手段は、例えば、図１の編集用モニタ６１により構成され、第１の入力受け付け手段は、例えば、図１のタッチペン６２および図８のタッチパネル２６２により構成され、第１の編集手段は、例えば、図１４のステップＳ４６の処理を実行する図８のＣＰＵ２０１により構成され、第２の判定手段は、例えば、図１１のステップＳ１６の処理を実行する図８のＣＰＵ２０１により構成され、第３の表示手段は、例えば、図２の編集用モニタ７１により構成され、第２の入力受け付け手段は、例えば、図２のタッチペン７２および図８のタッチパネル２７２により構成され、第２の編集手段は、例えば、図１４のステップＳ４６の処理を実行する図８のＣＰＵ２０１により構成され、印刷手段は、例えば、図５のプリンタ９１および９２により構成され、排出手段は、例えば、図２の印刷物取り出し口６４および７４により構成される。また、撮影手段により
ユーザ
ユーザ
ユーザ
さらに、第１の編集空間と第２の編集空間は異なる組のユーザにより使用される。
　（４）訂正事項ｄ
　特許明細書の段落【００１６】の記載を次のとおりに訂正する。
「前記第１の判定手段および前記第２の判定手段により、第１の編集空間と第２の編集空間のいずれにおいても編集を行うことができないと判定されたとき、第１の編集空間または第２の編集空間において編集を行うことができるようになるまでの期間、
ユーザ
　（５）訂正事項ｅ
　特許明細書の段落【００２０】の記載を次のとおりに訂正する。
「本発明の画像印刷装置の画像印刷方法は、撮影空間において
ユーザ
ユーザ
際に、第１の編集空間
ユーザ
ユーザ
ユーザ
ユーザ
ユーザ
ユーザ
ユーザ
場合、第２の編集空間
ユーザ
ユーザ
ユーザ
ユーザ
ユーザ
ユーザ
ユーザ
ユーザ
　　　　　　　　　　　
　２　［訂正の目的の適否、新規事項の有無及び拡張・変更の存否］
　上記訂正事項ａは、特許明細書の段落【０００８】、【００３４】、【００４２】、【０１０５】などの記載に基づいて、特許請求の範囲を限定したものであり、特許請求の範囲の減縮を目的とした訂正に該当する。また、上記訂正事項ｂないしｅは、上記特許請求の範囲の訂正に伴い、これと整合を図るものであり、いずれも明りょうでない記載の釈明を目的とした訂正に該当する。
　そして、上記訂正事項ａないしｅは、いずれも特許明細書に記載されている事項の範囲内のものであり、新規事項の追加に該当せず、また実質上特許請求の範囲を拡張し、又は変更するものでもない。
　
　３　［むすび］
　以上のとおりであるから、上記訂正は、特許法第１２０条の４第２項及び第３項において準用する同法第１２６条第２項から第４項までの規定に適合するので、当該訂正を認める。　　　　
　　　　　　　　　　　　　　　　　　　
第３　【特許異議の申立てについての判断】
　１　［申立ての理由の概要］
　申立人上杉則亮は、証拠として、甲第１号証：特願２００１−１３１３６８号（特開２００２−３３０３７１号公報）、甲第２号証：特開平５−２９４５４７号公報、甲第３号証：特開平１１−３２７８１７号公報、甲第４号証：特開平５−２７４０９８号公報、甲第５号証：特開平１１−１８０２９号公報、甲第６号証：特開平１１−５２４７９号公報、甲第７号証：特開２０００−２８４３５６号公報を提出し、特許請求の範囲の請求項１ないし６に係る発明は、甲第１号証に記載された発明と同一であるから、請求項１ないし６に係る発明についての特許は、特許法第２９条の２の規定に違反してなされたものであり、特許を取り消すべき旨、主張している。
　　　　　　　　　　　　　　　
　２　［本件発明］
　本件特許第３４０９２６０号の請求項１ないし６に係る発明（以下、それぞれ「本件発明１ないし６」という。）は、訂正明細書の特許請求の範囲の請求項１ないし６に記載された事項により特定されるとおりのものである（上記第２の１［訂正の内容］参照）。　　
　　　　　　　　　　　　　　　　　　　　　　　　　　
　３　［甲各号証に記載の発明］
　（１）当審が通知した取消理由に引用した甲第１号証：特願２００１−１３１３６８号（特開２００２−３３０３７１号公報）の願書に最初に添付された明細書又は図面（以下「先願明細書」という。）には、「分離型画像プリント供給装置」（発明の名称）に関し、次に掲げる事項が記載されている。
　　ア　「【産業上の利用分野】本発明は、撮影した被写体の撮像データを、タイトルやフレーム等各種のイメージデータと合成し、該合成された画像データをプリント供給する画像プリント供給装置において、利用の効率性を向上するために開発された分離型画像プリント供給装置であり、娯楽の分野はもとより、ビジネス分野でも利用することができる。」（公報２頁左欄３８行〜４４行）
　　イ　「２以上の入力手段や印刷手段を設けることで、複数の利用者が同時に編集や印刷を行えるため、更に利用効率を高められるメリットがある。」（公報３頁左欄３２行〜３４行）
　　ウ　「編集部及び印刷部を、撮影部が設けられると同じ筐体の異なる側部に設ける」（公報３頁左欄３８行、３９行）
　　エ　「図５は本発明に係る分離型画像プリント供給装置を用いて撮影処理を行う場合の手順を示すフローチャート、図６は本発明に係る分離型プリント供給装置を用いて編集処理及び印刷処理を行う場合の手順を示すフローチャートである。
【００１９】本発明に係る画像プリント供給装置は、被写体となる利用者の撮像データを取得する撮像部と、該撮像データへのイメージデータの合成等の編集を行う編集部と、該編集された画像データの印刷を行う印刷部とが、従来の装置では何れも同一筐体の同じ側部に設けられていたものが、同一筐体の異なる側部に、又は、全く別個独立に設けられ、各構成要素は電気信号的に接続されている点に特徴を有している。」（公報３頁右欄２２行〜３４行）
　　オ　「図４は主に本発明の分離型画像プリント供給装置における編集部Ｂ側及び印刷部Ｃ側を説明したもので、前記撮影部Ａが設けられる筐体１の側面とは反対側の側面に当たり、編集部Ｂには複数（図面では２個）の入力手段３とその操作部４が設けられている。」（公報４頁左欄２８行〜３２行）
　　カ　「印刷部Ｃは、図面では、２個の操作部４の中間に位置して、１個の印刷手段５が筐体１の内部の設けられており、そのプリント排出口６が筐体１の側面に現出しているだけである。」（公報４頁左欄３９行〜４２行）
　　キ　「撮影部Ａ側の構成要素として、装置の利用に当たってコインを投入するためのコイン投入口を含む課金装置１６、利用者の撮像データを取得する１又は２以上の撮影手段２、該撮影手段２によって取得された撮像データを中継するためのサテライトボード１７、該サテライトボード１７を中継して送られた撮像データを画面表示するためのモニター７と撮影手段２の数に応じたサブモニター１３、ＰＣや前記サテライトボード１７との間で各種指令を制御するコントロールボード１８、該コントロールボード１８を介して指令を遣り取りする操作ボタンやサービスパネルからなる操作部８、その他、照明装置１１やスピーカー１２などが存在するが、撮影部Ａ側には撮影手段２とその操作を行う操作部８のみが現出し、編集や印刷を行うための作業要素が現出されない点に構成上の特徴を有している。」（公報４頁右欄２７行〜４１行）
　　ク　「編集部Ｂ側の構成要素としては、撮影部Ａで取得された利用者の撮像データや、ＰＣの記憶部から読み出したフレームデータやタイトルデータ、又は、任意に書き込んだらくがきデータ等のイメージデータ、更には、これらデータを合成した画像データを出力表示したり、各種の指示・選択画面を表示するためのタブレットからなる操作部４と、該操作部４上をポインティングすることで前記書き込みや選択を行うための入力ペンからなる入力手段３が存在し、編集部Ｂ側には前記した各種データの表示や合成等の編集を行うための入力手段３と操作部４のみが現出し、撮影を行うための作業要素が現出されない点に構成上の特徴を有している。」（公報４頁右欄４２行〜５頁左欄３行）
　　ケ　「撮影が終了すると、撮影部Ａを出て編集部Ｂに移動するよう、移動指示がモニター７に表示されるので，利用者はその指示に従ってポジションＰ１からポジションＰ２に場所を移動することになる（図中「場所の移動指示」）。その後、撮影手段２にて取得された利用者の撮像データはＰＣの記憶部にて保存され、編集部Ｂでの編集を待つことになる（図中「画像データの転送ｏｒ一時保存」）。」（公報５頁右欄２３行〜３０行）
　　コ　「撮影部Ａでの撮影処理が終了し、利用者が編集部ＢのポジションＰ２に移動した時点では、図６に示すように、その前の利用者による編集処理が初期化され（図中「らくがき画面初期処理」）、ＰＣの記憶部に保存された撮像データが読み込まれ、タブレット等の操作部４に表示されることになる（図中「画像データの読み込み」）。なお、撮影手段２により取得した撮像データを操作部４に画面表示するタイミングは、その前の利用者による編集が終了し、場所移動の指示が発せられた時点（図５中「場所の移動指示」）や、入力手段３による操作部４への編集開始の指示入力等がきっかけとなる。」（公報５頁右欄４０行〜５０行）
　　サ　「撮影のための猶予時間（Ｔ１）と編集のための猶予時間（Ｔ２）をそれぞれ３分に設定した場合、編集部Ｂでの編集作業が２分を経過したところで、撮影部Ａで新たな利用者による撮影が開始した場合は、編集の猶予時間（Ｔ２）の３分が満了した時点では、撮影の猶予時間（Ｔ１）は１分が経過したところであり、２分の残余時間を有するため、その残余時間を延長時間として編集作業に充てられるようにすることで、実質的に編集時間を延長し、編集により多くの時間を掛けられるようにし、利用者の満足度が高められるようにしたものである。」（公報６頁左欄２９行〜３９行）
　　シ　「新たな利用者が淀みなく利用できるため、回転効率が向上し、運用者側にとっても売上に貢献できる。」（公報１１頁左欄１４行〜１６行）
　（２）同じく引用した甲第２号証には、次の事項が記載されている。
　「複数の排紙部を有する画像形成装置において、各排紙部に排出された画像形成済みの用紙を検知して、画像形成スタート時に、排紙部のいずれかに用紙の存在が検知された時、用紙が検知されていない排紙部に優先的に排紙の割当てを行うようにしたものが提案されている。」（公報段落【０００２】）
　（３）同じく引用した甲第３号証には、次の事項が記載されている。
　「前記印刷装置が印刷中であるか否かを判別する判別手段を備え、該印刷中であると判別された場合、前記分配手段は次のジョブの印刷データを同一の識別符号を有する別の印刷装置に分配するので、印刷装置が印刷中であっても、次の印刷データを効率よく処理することができる。」（公報段落【００７４】）
　（４）同じく引用した上記甲第４号証には、次の事項が記載されている。　「コンピュータが印刷情報を提示信号として各プリンタに提示し、この提示を受けたプリンタは現在の稼動状況や印刷能力に応じてこの提示に対応できるか否かを判定して応答信号を送信し、コンピュータはこの応答信号を比較検討してコンピュータが特定のプリンタを選択するので、コンピュータにとっては現在の印刷条件に最適なプリンタを自動選択できることになる。」（公報段落【００２３】）　　　　　　　　　　　　　　
　（５）同じく引用した上記甲第５号証には、次の事項が記載されている。　「ゲーム時間が２．５分を経過すれば、カラー印刷の標準時間から考えて実際にカラー印刷が終了しているはずであり、直ちに強制的に質問を打ちきっても問題ないと考えられるが、何らかの理由で実際にカラー印刷が終了していない場合には、プレイヤにできるだけ多くのおもしろ質問に答えてもらうためステップＳ１９に戻すようにしている。」（公報段落【００３０】）　（６）同じく引用した上記甲第６号証には、次の事項が記載されている。　「一方その印刷命令が出された後、ルーレットのゲームソフトが起動し、サービスゲームのゲーム画像が図９に示されているようにディスプレイ２ｆに表示される。このゲーム画像６Ｄ内にはカラープリンター３ａの印刷進行状態をインジケー夕で表示している。従って、使用者は印刷開始して印刷終了する間の８０秒程の印刷時間ディスプレイ２ｆに出力されるルーレットゲームソフトを楽しむ。」（公報３頁右欄３４行〜４１行）
　（７）同じく引用した上記甲第７号証には、次の事項が記載されている。　「印刷手段（カラープリンタ８）が修正された人物撮像を印刷して出力するまでの間、表示手段の画面上において、ゲームを楽しむことができるようにされているので、顧客は、印刷手段が修正された人物撮像を印刷して出力するまでの間、短時間ではあるが、退屈することなく、修正された人物撮像が印刷されて出力されるのを待つことができ、人物撮像修正自動販売装置１の商品性を高めることができる。」（公報段落【００８０】）　　　　　　　　　　　　　　　　　　　　　
　４　［当審の判断］
　（１）　本件発明１について
　先願明細書（上記甲第１号証）には、撮影した被写体の撮像データを、タイトルやフレーム等各種のイメージデータと合成し、該合成された画像データをプリント供給する画像プリント供給装置において、撮影部Ａが設けられる筐体１の側面と反対側の側面の編集部Ｂに複数（図面では２個）の入力手段３とその操作部４を設けること、そして撮影が終了すると、撮影部Ａを出て編集部Ｂに移動するよう、移動指示がモニター７に表示されるので、利用者はその指示に従ってポジションＰ１からポジションＰ２に場所を移動することが記載されている。
　しかしながら、先願明細書には、本件発明１の主要な事項である「前記第１の判定手段により、前記第１の編集空間において前記ユーザの画像が編集不可能であると判定された場合、前記第２の編集空間において前記ユーザの画像が編集可能であるか否かを判定する第２の判定手段と、前記第２の判定手段により、前記第２の編集空間において前記ユーザの画像が編集可能であると判定された場合、前記第２の編集空間において、前記編集対象画像として選択された前記ユーザの画像を表示する第３の表示手段」の構成（以下「構成Ａ」という。）については何ら記載がなく、示唆もない。
　また、上記甲第２号証には、用紙が検知されていない排紙部に優先的に排紙の割当てを行うこと、上記甲第３号証には、印刷中の場合、次のジョブの印刷データを別の印刷装置に分配すること、上記甲第４号証には、現在の印刷条件に最適なプリンタを自動選択すること、さらに、上記甲第５ないし７号証には、印刷が終了するまでの時間にゲームを楽しむことが、それぞれ記載されているが、それらの事項を勘案しても、本件発明１の上記構成Ａが、先願明細書に記載されているものとすることはできない。
　よって、本件発明１は、先願明細書に記載された発明であるとすることはできない。　　　　　
　（２）　本件発明２ないし４について
　本件発明２ないし４は、本件発明１を直接的あるいは間接的に引用し、更に限定事項を付加したものであるから、本件発明１について検討した上記（１）と同様の理由により、先願明細書に記載された発明であるとすることはできない。　　　　　　　　　　　　
　（３）　本件発明５について
　本件発明５は、本件発明１の装置を方法として表現したものであって、本件発明１について検討した上記（１）と同様の理由により、先願明細書に記載された発明であるとすることはできない。　
　（４）　本件発明６について
　本件発明６は、本件発明１の装置を方法として表現した本件発明５を、さらにプログラムとして特定したものであり、上記（１）と同様の理由により、先願明細書に記載された発明であるとすることはできない。　　
　　　　　　　　　　　　　　　　　　　　　　　　　　　
第４　【むすび】
　以上のとおりであるから、特許異議申立ての理由及び証拠によっては、本件請求項１ないし６に係る発明の特許を取り消すことはできない。
　また、他に本件請求項１ないし６に係る発明の特許を取り消すべき理由を発見しない。
　よって、結論のとおり決定する。
【異議決定日】
平成１６年８月６日（２００４．８．６）
【訂正の要旨】
審決（決定）の【理由】欄参照。
（５４）【発明の名称】
画像印刷装置および方法、並びにプログラム
（５７）【特許請求の範囲】
　【請求項１】　
ユーザが自分自身の撮影を行う撮影空間、並びに、互いに異なる組のユーザが前記撮影により得られた自分自身の画像に対する編集をそれぞれ行う第１の編集空間および第２の編集空間が互いに異なる位置に設けられており、各空間を用いて前記撮影および前記編集を各組のユーザに行わせ、前記編集により編集された前記画像の印刷を行い、編集された前記画像が印刷されたシールシートまたは紙を提供する画像印刷装置であって、
　
前記
前記ユーザ
　前記撮影空間において、前記撮影手段により撮影された
前記ユーザ
　前記撮影手段による撮影が終了した際に、
前記第１の編集空間
前記ユーザ
　前記第１の判定手段により、前記第１の編集空間において
前記ユーザ
前記ユーザ
前記ユーザ
　前記第２の表示手段により表示された
前記ユーザ
　前記第１の入力受け付け手段により受け付けられた前記編集入力に基づいて、
前記ユーザ
　前記第１の判定手段により、前記第１の編集空間において
前記ユーザ
前記第２の編集空間
前記ユーザ
　前記第２の判定手段により、前記第２の編集空間において
前記ユーザ
前記ユーザ
　前記第３の表示手段により表示された
前記ユーザ
　前記第２の入力受け付け手段により受け付けられた前記編集入力に基づいて、
前記ユーザ
　前記第１の編集手段により編集された
前記ユーザ
前記ユーザ
前記シールシートまたは前記紙
　前記印刷手段により
前記ユーザ
　を備えることを特徴とする画像印刷装置。
　【請求項２】　前記画像印刷装置の所定の面を基準として、前記第１の表示手段は、前記画像印刷装置の正面に配置され、前記第２の表示手段は、前記画像印刷装置の右側面に配置され、前記第３の表示手段は、前記画像印刷装置の左側面に配置される
　ことを特徴とする請求項１に記載の画像印刷装置。
　【請求項３】　前記第１の表示手段は、前記撮影空間において撮影が終了されたとき、前記第１の編集空間、または前記第２の編集空間への移動を案内する案内画面をさらに表示する
　ことを特徴とする請求項１または２に記載の画像印刷装置。
　【請求項４】　前記第１の判定手段および前記第２の判定手段により、前記第１の編集空間と前記第２の編集空間のいずれにおいても編集を行うことができないと判定されたとき、前記第１の編集空間または前記第２の編集空間において編集を行うことができるようになるまでの期間、
前記ユーザ
　ことを特徴とする請求項１乃至３のいずれかに記載の画像印刷装置。
　【請求項５】　
ユーザが自分自身の撮影を行う撮影空間、並びに、互いに異なる組のユーザが前記撮影により得られた自分自身の画像に対する編集をそれぞれ行う第１の編集空間および第２の編集空間が互いに異なる位置に設けられており、各空間を用いて前記撮影および前記編集を各組のユーザに行わせ、前記編集により編集された前記画像の印刷を行い、編集された前記画像が印刷されたシールシートまたは紙を提供する画像印刷装置の画像印刷方法であって、
　
前記
前記ユーザ
　前記撮影空間において、前記撮影ステップの処理により撮影された
前記ユーザ
　前記撮影ステップの処理による撮影が終了した際に、
前記第１の編集空間
前記ユーザ
　前記第１の判定ステップの処理により、前記第１の編集空間において
前記ユーザ
前記ユーザ
前記ユーザ
　前記第２の表示ステップの処理により表示された
前記ユーザ
　前記第１の入力受け付けステップの処理により受け付けられた前記編集入力に基づいて、
前記ユーザ
　前記第１の判定ステップの処理により、前記第１の編集空間において
前記ユーザ
前記第２の編集空間
前記ユーザ
　前記第２の判定ステップの処理により、前記第２の編集空間において
前記ユーザ
前記ユーザ
　前記第３の表示ステップの処理により表示された
前記ユーザ
　前記第２の入力受け付けステップの処理により受け付けられた前記編集入力に基づいて、
前記ユーザ
　前記第１の編集ステップの処理により編集された
前記ユーザ
前記ユーザ
前記シールシートまたは前記紙
　前記印刷ステップの処理により
前記ユーザ
　を含むことを特徴とする画像印刷方法。
　【請求項６】　請求項５に記載の画像印刷方法をコンピュータに実行させるプログラム。
【発明の詳細な説明】
　【０００１】
　【発明の属する技術分野】
　本発明は画像印刷装置および方法、並びにプログラムに関し、特に、ユーザの回転率を向上させ、順番待ちの時間を短縮することができるようにした画像印刷装置および方法、並びにプログラムに関する。
　【０００２】
　【従来の技術】
　従来、ユーザの画像を撮影し、これを予め用意されたフレーム画像と合成してシール紙などに印刷して提供する画像印刷装置（例えば、プリントクラブ（商標））が知られている。そして、この画像印刷装置には、ユーザは、撮影した画像上に付属のペンで任意の文字や図形などを書き込む（編集する）ことができるようになされているものも存在する。
　【０００３】
　【発明が解決しようとする課題】
　しかしながら、このような画像上に書き込むことができる画像印刷装置においては、撮影した画像を確認する画面と、書き込み作業を行う画面とが同一の画面で構成されている。そのため、順番待ちをしているユーザは、先に使用しているユーザが編集までの一連の処理を終了するまで待たなければならないという課題がある。
　【０００４】
　また、画像印刷装置を管理する、例えば、ゲームセンターの側としても、ユーザの回転率が高いほど収益率が向上し、好ましい。
　【０００５】
　本発明はこのような状況に鑑みてなされたものであり、撮影する空間と編集する空間とを異なる位置に設け、さらに、１つの撮影空間に対して編集空間を複数設けることにより、ユーザの回転率を向上させ、順番待ちの時間を短縮するようにしたものである。
　【０００６】
　【課題を解決するための手段】
　本発明の画像印刷装置は、撮影空間において、
ユーザ
ユーザ
際に、第１の編集空間
ユーザ
ユーザ
ユーザ
ユーザ
ユーザ
ユーザ
ユーザ
場合、第２の編集空間
ユーザ
ユーザ
ユーザ
ユーザ
ユーザ
ユーザ
ユーザ
ユーザ
　【０００７】
　撮影手段は、例えば、図１の撮影装置２０により構成され、第１の表示手段は、例えば、図１の撮影用モニタ４１により構成され、第１の判定手段は、例えば、図１１のステップＳ１４の処理を実行する図８のＣＰＵ２０１により構成され、第２の表示手段は、例えば、図１の編集用モニタ６１により構成され、第１の入力受け付け手段は、例えば、図１のタッチペン６２および図８のタッチパネル２６２により構成され、第１の編集手段は、例えば、図１４のステップＳ４６の処理を実行する図８のＣＰＵ２０１により構成され、第２の判定手段は、例えば、図１１のステップＳ１６の処理を実行する図８のＣＰＵ２０１により構成され、第３の表示手段は、例えば、図２の編集用モニタ７１により構成され、第２の入力受け付け手段は、例えば、図２のタッチペン７２および図８のタッチパネル２７２により構成され、第２の編集手段は、例えば、図１４のステップＳ４６の処理を実行する図８のＣＰＵ２０１により構成され、印刷手段は、例えば、図５のプリンタ９１および９２により構成され、排出手段は、例えば、図２の印刷物取り出し口６４および７４により構成される。また、撮影手段により
ユーザ
ユーザ
ユーザ
さらに、第１の編集空間と第２の編集空間は異なる組のユーザにより使用される。
　【０００８】
　ユーザは、第１の表示手段により表示される画面を確認ながら撮影し、編集する画像を選択する。そして、ユーザは、撮影処理が終了したとき、第２の表示手段または第３の表示手段により表示される画面を確認しながら、撮影した画像を編集する（書き込みをする）。そして、ユーザは、印刷処理が終了したとき、排出手段により排出されるシールシートを取得する。すなわち、撮影処理が終了した際に、第１の判定手段が、第１の編集空間において画像の編集可能であると判定した場合、第１の編集空間の第２の表示手段に被写体の画像が表示され、第１の判定手段が第１の編集空間において画像の編集が不可能であると判定し、第２の判定手段が第２の編集空間において画像の編集可能であると判定した場合、第２の編集空間の第３の表示手段に被写体の画像が表示され、ユーザは、それに基づいて空間を移動し、画像の編集を開始する。
　【０００９】
　第１の表示手段、第２の表示手段、および第３の表示手段は、例えば、図１および図２に示すように、筐体１０の正面、右側面、および左側面にそれぞれ設けられる。
　【００１０】
　編集空間を複数設け、それぞれ撮影空間と異なった位置に設けることにより、例えば、順番待ちをしているユーザがいる場合、そのユーザは、先に撮影している他のユーザが撮影処理を終了し編集空間に移動したとき、それとともに撮影空間に入場し、撮影を開始することができる。また、１つの編集空間において、編集を行っている他のユーザがいても、撮影を終了したユーザは、他の編集空間に移動し、撮影した画像を編集することができる。さらに、１つの編集空間において、シールシートの不足等により印刷不可能となる場合においても同様である。
　【００１１】
　以上のように構成することにより、順番待ちの時間を短縮することができる。また、画像印刷装置を管理する管理者の側からしても、ユーザの回転率が向上するため、収益率を向上させることができる。
　【００１２】
　画像印刷装置の所定の面を基準として、第１の表示手段は、画像印刷装置の正面に配置され、第２の表示手段は、画像印刷装置の右側面に配置され、第３の表示手段は、画像印刷装置の左側面に配置されるようにすることができる。
　【００１３】
　この場合、第１の表示手段、第２の表示手段、および第３の表示手段は、例えば、図１および図２に示すようにそれぞれ配置される。
　【００１４】
　第１の表示手段は、撮影空間において撮影が終了されたとき、第１の編集空間、または第２の編集空間への移動を案内する案内画面をさらに表示するようにすることができる。
　【００１５】
　例えば、第１の編集空間にユーザを誘導する場合、図１２に示すような案内画面が第１の表示手段に表示される。また、第２の編集空間にユーザを誘導する場合、図１３に示すような案内画面が第１の表示手段に表示される。これによりユーザは、複数設けられている編集空間のうちの使用されていない編集空間に移動することができる。
　【００１６】
　前記第１の判定手段および前記第２の判定手段により、第１の編集空間と第２の編集空間のいずれにおいても編集を行うことができないと判定されたとき、第１の編集空間または第２の編集空間において編集を行うことができるようになるまでの期間、
ユーザ
　【００１７】
　実行手段は、例えば、図１１のステップＳ２３の処理を実行する図８のＣＰＵ２０１により構成される。
　【００１８】
　第１の判定手段および第２の判定手段により、第１の編集空間と第２の編集空間のいずれにおいても編集を行うことができないと判定された場合、例えば、図１１のステップＳ１８の処理に示すように処理選択画面が表示される。ユーザは、第１の編集空間または第２の編集空間において編集を行うことができるようになるまでの期間、この処理選択画面から選択することにより、例えば、撮り直しや、ゲーム（もぐら叩き）などを実行させることができる。
　【００１９】
　これにより、第１の編集空間と第２の編集空間のいずれにおいても編集を行うことができない場合、撮影空間において待機しているユーザは、退屈せずにその時間を過ごすことができる。
　【００２０】
　本発明の画像印刷装置の画像印刷方法は、撮影空間において
ユーザ
ユーザ
際に、第１の編集空間
ユーザ
ユーザ
ユーザ
ユーザ
ユーザ
ユーザ
ユーザ
場合、第２の編集空間
ユーザ
ユーザ
ユーザ
ユーザ
ユーザ
ユーザ
ユーザ
ユーザ
　【００２１】
　撮影ステップは、例えば、図９のステップＳ６により構成され、第１の表示ステップは、例えば、図１０のステップＳ７により構成され、第１の判定ステップは、例えば、図１１のステップＳ１４により構成され、第２の表示ステップおよび第１の入力受け付けステップは、例えば、図１４のステップＳ４２により構成され、第１の編集ステップは、例えば、図１４のステップＳ４６により構成され、第２の判定ステップは、例えば、図１１のステップＳ１６により構成され、第３の表示ステップおよび第２の入力受け付けステップは、例えば、図１４のステップＳ４２により構成され、第２の編集ステップは、例えば、図１４のステップＳ４６により構成され、印刷ステップは、例えば、図１４のステップＳ４８により構成され、第２の排出ステップは、例えば、図１４のステップＳ４９により構成される。
　【００２４】
　本発明のプログラムは、請求項５に記載の画像印刷方法をコンピュータに実行させることを特徴とする。
　【００２５】
　本発明のプログラムは、所定の記録媒体に記録されて、例えば、図８のドライブ２２０により読み出され、画像印刷装置にインストールされる。記録媒体は、フロッピディスクなどよりなる磁気ディスク、ＣＤ−ＲＯＭ（Ｃｏｍｐａｃｔ　Ｄｉｓｋ　Ｒｅａｄ　ＯｎｌｙＭｅｍｏｒｙ）、ＤＶＤ−ＲＯＭ（Ｄｉｇｉｔａｌ　Ｖｅｒｓａｔｉｌｅ　Ｄｉｓｋ）などよりなる光ディスク、ＭＤ（ＭｉｎｉＤｉｓｋ）などよりなる光磁気ディスク、または半導体メモリなどより構成される。
　【００２６】
　【発明の実施の形態】
　図１は、本発明を適用した画像印刷装置の構成例を示す斜視図である。
　【００２７】
　図１において、画像印刷装置１の筐体１０の正面上方の面１０−１には、撮影装置２０が設置されている。この撮影装置２０には、ＣＣＤ（Ｃｈａｒｇｅ　Ｃｏｕｐｌｅｄ　Ｄｅｖｉｃｅ）、あるいはＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）などよりなるカメラ２１、および小型のＬＣＤ（Ｌｉｑｕｉｄ　Ｃｒｙｓｔａｌ　Ｄｉｓｐｌａｙ）などよりなる取り込み画像表示部２２が配置されている。カメラ２１は、被写体の画像を取り込み、その画像（動画像）は、取り込み画像表示部２２に表示される。取り込み画像表示部２２がカメラ２１の近傍に設けられているため、ユーザは、取り込み画像表示部２２に表示されている自分の画像を確認しながら、視線をほぼカメラ２１に向けた状態で撮影することができる。
　【００２８】
　また、面１０−１の左右には、照明装置３１が配置される。照明装置３１は、内部に発光体（フラッシュ）を有しており、ユーザから撮影の開始が指示され、カメラ２１が被写体を撮影するとき（キャプチャするとき）、そのタイミングに合わせて、被写体を照射する。
　【００２９】
　面１０−１の下方にある、所定の角度だけ上方を向いた面１０−２には、ＣＲＴ（Ｃａｔｈｏｄｅ　Ｒａｙ　Ｔｕｂｅ）やＬＣＤなどよりなる撮影用モニタ４１が設置されている。撮影用モニタ４１は、撮影方法を案内する画面や、後述するように撮影装置２０により撮影された被写体の画像を表示する。
　【００３０】
　面１０−２の右側には、操作パネル４２が設置されている。操作パネル４２は、ユーザにより操作される各種の操作ボタンよりなり、例えば、カメラ２１のズームを調整するときなどに操作される。操作パネル４２には、例えば、撮影用モニタ４１に表示される各種の選択に対して、決定するとき操作される「○ボタン」、決定したものをキャンセルするとき操作される「×ボタン」、撮影用モニタ４１に表示されるカーソルなどを移動するとき操作される「＋ボタン」、「−ボタン」などが配置され、そのほか、撮影の開始を指示するとき操作される「撮影スタートボタン」などが適宜配置される。
　【００３１】
　面１０−２の下方にある面１０−３には、左上方に硬貨投入口５１が設けられており、ユーザは、画像印刷装置１を利用するとき、所定の金額を投入する。また、面１０−３の左右下方には、スピーカ５２が設けられている。スピーカ５２は、各種の音声ガイダンスなどを出力し、ユーザに対して、撮影方法（シール作成の進行方法）を案内する。
　【００３２】
　筐体１０の右側面である面１０−４には、ＣＲＴやＬＣＤなどよりなる編集用モニタ６１、タッチペン６２、およびスピーカ６３が設けられており、その下方には印刷されたシールシートを排出する印刷物取り出し口６４が設けられている。
　【００３３】
　カメラ２１で撮影され、編集する画像として選択され、保存された画像は、ユーザが撮影処理を終了した後、編集用モニタ６１に表示される。編集用モニタ６１には、タッチパネル２６２（図８参照）が積層されており、ユーザは、編集用モニタ６１に表示されている画像に対して、タッチペン６２を操作することにより、編集対象の画像（以下、適宜、編集対象画像と称する）に任意の文字や図形などを書き込む（入力する）ことができる。
　【００３４】
　すなわち、ユーザは、筐体１０の正面（面１０−１）前方の場所（以下、適宜撮影空間と称する）で自分自身を撮影したのち、面１０−４の前方の場所（以下、適宜第１の編集空間と称する）へ移動して、撮影した自分自身の画像を編集する。
　【００３５】
　編集用モニタ６１は、編集対象画像とともに、様々な編集ツールの選択ボタンなどを表示する。そして、編集用モニタ６１は、タッチペン６２で書き込みがされたとき、その入力に応じて生成した編集済みの画像を表示する。
　【００３６】
　タッチペン６２は、編集用モニタ６１に積層されるタッチパネル２６２の位置検出方式（例えば、抵抗膜式、超音波式など）に応じて構成され、編集に使用されないとき、図に示すように面１０−４に設置されている突起部に固定される。
　【００３７】
　スピーカ６３は、第１の編集空間にいるユーザに対して、編集の入力方法を説明する音声ガイダンスを出力する。
　【００３８】
　印刷物取り出し口６４は、所定の数、および大きさの複数のシールからなる、編集済みの画像が印刷されたシールシートを排出する。
　【００３９】
　図２は、図１に示した画像印刷装置１を左前方上側より見た場合の斜視図であり、本発明を適用した画像印刷装置の構成例を示す図である。
　【００４０】
　図２において、画像印刷装置１の筐体１０の左側面１０−６には、編集用モニタ７１、タッチペン７２、およびスピーカ７３が設けられており、その下方には印刷されたシールシートを排出する印刷物取り出し口７４が設けられている。
　【００４１】
　カメラ２１による撮影処理が終了した後、第１の編集空間において、撮影を終了したユーザが編集を行うことができない場合、編集対象画像として選択され、保存された画像は、編集用モニタ７１に表示される。編集用モニタ７１には、タッチパネル２７２（図８参照）が積層されており、ユーザは、編集用モニタ７１に表示されている画像に対して、タッチペン７２を操作することにより、編集対象画像に任意の文字や図形などを書き込む（入力する）ことができる。
　【００４２】
　すなわち、ユーザは、撮影空間で自分自身を撮影したのち、第１の編集空間において編集を行うことができない場合、面１０−６の前方の場所（以下、適宜第２の編集空間と称する）へ移動して、撮影した自分自身の画像を編集する。
　【００４３】
　編集用モニタ７１は、編集用モニタ６１と同様に、タッチペン７２で書き込みがされたとき、その入力に応じて生成した編集済みの画像を表示し、タッチペン７２は、タッチペン６２と同様に、編集用モニタ７１に積層されるタッチパネル２７２の位置検出方式（例えば、抵抗膜式、超音波式など）に応じて構成され、スピーカ７３は、スピーカ６３と同様に、第２の編集空間にいるユーザに対して、編集の入力方法を説明する音声ガイダンスを出力し、印刷物取り出し口７４は、印刷物取り出し口６４と同様に、所定の数、および大きさの複数のシールからなる、編集済みの画像が印刷されたシールシートを排出する。
　【００４４】
　図３は、図１および図２に示した画像印刷装置１を左後方上側より見た場合の斜視図であり、本発明を適用した画像印刷装置の構成例を示す図である。
　【００４５】
　図３において、画像印刷装置１の筐体１０の背面１０−７には、プリンタ９１および９２（図８参照）の保守および点検用の蓋部材８１および８２（開口部８０）が形成されている。
　【００４６】
　図４は、図１乃至図３に示した画像印刷装置１を上面（面１０−５）より見た上面図である。
　【００４７】
　図４に示すように、蓋部材８１は右側に、蓋部材８２は左側に扉形式で開閉されるようになっており、蓋部材８１および８２は，閉じられたときに、画像印刷装置１の筐体１０の背面１０−７の一部を構成する。
　【００４８】
　図５は、プリンタ保守のために蓋部材を開いた状態を示す要部斜視図である。
　【００４９】
　図５に示すように、蓋部材８１および８２は、鍵付きであり、閉じられたときに、その鍵で固定される。なお、蓋部材８１および８２は、ねじ等により筐体１０に固定されて、ねじの取り付け、取り外しに応じて開口部８０を開閉するように構成する等、開閉のための構成は適宜の手法が採択し得る。
　【００５０】
　また、図５に示すように、筐体１０内には、編集用モニタ６１を利用して編集された後の画像を印刷するプリンタ９１が設置されている。プリンタ９１は、筐体１０の右側面１０−４よりに配設されて、印刷したシールシートを印刷物取り出し口６４より排出する。さらに、筐体１０内には、編集用モニタ７１を利用して編集された後の画像を印刷するプリンタ９２が設置されている。プリンタ９２は、筐体１０の左側面１０−６よりに配設されて、印刷したシールシートを印刷物取り出し口７４より排出する。すなわち、プリンタ９１および９２は、所定の数、および大きさに分割されたシールのシールシートを複数種類ストックし、ユーザから選択されたシールシートに、編集済みの画像を印刷する。
　【００５１】
　蓋部材８１および８２が開かれることにより、プリンタ９１および９２が大きな開口部８０を通して外部から接近可能とされる。これにより、蓋部材８１および８２が開かれて、プリンタ９１および９２へのシールシートの補給が行われる。
　【００５２】
　図６は、画像印刷装置１の配置例を示す図である。
　【００５３】
　筐体１０の上部には、図６に示すように水平前方にカーテンフレーム１００が取り付けられ、それにカーテン１０１が設けられる。カーテンフレーム１００はカーテン１０１を吊るすものである。カーテン１０１は撮影空間を覆うように設置され、外光を遮断し、良好な画像を撮影するのに寄与する。
　【００５４】
　また、同様に筐体１０の上部（面１０−４の上部）には、水平右方向にカーテンフレーム１１０が取り付けられ、それにカーテン１１１が設けられる。カーテンフレーム１１０はカーテン１１１を吊るすものである。カーテン１１１は第１の編集空間に筐体１０の面１０−４と対向するように設置され、編集用モニタ６１で反射する外光を遮断し、ユーザが編集用モニタ６１に表示される画像を見やすくするのに寄与する。
　【００５５】
　図７は、画像印刷装置１の配置例を示す図であり、図６に示す画像印刷装置１を左前方上側より見た場合の図である。
　【００５６】
　筐体１０の上部（面１０−６の上部）には、水平左方向にカーテンフレーム１２０が取り付けられ、それにカーテン１２１が設けられる。カーテンフレーム１２０はカーテン１２１を吊るすものである。カーテン１２１は第２の編集空間に筐体１０の面１０−６と対向するように設置され、編集用モニタ７１で反射する外光を遮断し、ユーザが編集用モニタ７１に表示される画像を見やすくするのに寄与する。
　【００５７】
　図８は、画像印刷装置１の内部の構成例を示すブロック図である。図１乃至図７において説明した部分についてはその説明は省略する。
　【００５８】
　ＣＰＵ（Ｃｅｎｔｒａｌ　Ｐｒｏｃｅｓｓｉｎｇ　Ｕｎｉｔ）２０１は、ＲＯＭ（Ｒｅａｄ　Ｏｎｌｙ　Ｍｅｍｏｒｙ）２０２に記憶されているプログラム、または、プログラム記憶部２０４からＲＡＭ（Ｒａｎｄｏｍ　Ａｃｃｅｓｓ　Ｍｅｍｏｒｙ）２０３にロードしたプログラムに従って画像印刷装置１の全体の動作を、バス２５０を介して制御する。ＲＡＭ２０３にはまた、ＣＰＵ２０１が各種の処理を実行する上において必要なデータなどが適宜記憶される。
　【００５９】
　プログラム記憶部２０４は、ハードディスクやそのドライブからなり、ＣＰＵ２０１が実行する様々なプログラムなどを記憶する。ドライブ２２０は、フロッピディスクやハードディスクなどの磁気ディスク２３１、ＣＤ−ＲＯＭ，ＤＶＤなどの光ディスク２３２、ＭＤなどの光磁気ディスク２３３、または半導体メモリ２３４などの記録媒体に記憶されているプログラムを読み出し、バス２５０を介してプログラム記憶部２０４などに供給する。例えば、ドライブ２２０からは、被写体の画像と合成する新たなフレーム画像などが供給される。
　【００６０】
　撮影装置２０の内部には、上述したカメラ２１および取り込み画像表示部２２の他に、カメラ制御部２０５が配置されている。カメラ制御部２０５は、ユーザが操作パネル４２を操作することにより入力したカメラ２１の調節要求に応じて、カメラ２１のズーム率、取り込む光量などを制御する。
　【００６１】
　画像記憶部２０６は、ユーザが撮影し、編集する画像として選択した画像を所定の枚数だけ記憶する。例えば、画像記憶部２０６は、編集対象画像を６枚まで記憶する。
　【００６２】
　硬貨処理部２０７は、硬貨投入口５１から投入された硬貨をカウントし、画像の作成代金として予め設定されている所定の金額が投入されたと判定したとき、それをＣＰＵ２０１に通知する。
　【００６３】
　音声出力制御部２５１は、ＣＰＵ２０１からの制御に基づいてスピーカ５２を制御し、撮影方法などを説明する各種の音声ガイダンスや、例えば、静止画像を取り込むときのシャッター音などの効果音を出力する。また、音声出力制御部２６３は、スピーカ６３を制御し、編集方法などを説明する各種の音声ガイダンスや、画像に書き込むときに発生される効果音などを出力する。さらに、音声出力制御部２７３は、スピーカ７３を制御し、編集方法などを説明する各種の音声ガイダンスや、画像に書き込むときに発生される効果音などを出力する。このように、スピーカ５２、スピーカ６３、およびスピーカ７３には、必要に応じてそれぞれ異なる音が出力される。
　【００６４】
　映像入出力制御部２６１は、撮影処理が終了し、ユーザが編集を開始するとき、画像記憶部２０６からバス２５０を介して転送されてくる編集対象画像を内蔵するメモリ（図示せず）に記憶する。そして、映像入出力制御部２６１は、タッチパネル２６２において編集入力がされたとき、編集対象画像上における、その入力位置を検出し、編集対象画像に反映させて編集用モニタ６１に表示させる。なお、図８においては、編集用モニタ６１とタッチパネル２６２は別の位置に示されているが、実際には積層して配置されている。
　【００６５】
　同様に、映像入出力制御部２７１は、撮影処理が終了し、ユーザが編集を開始するとき、画像記憶部２０６からバス２５０を介して転送されてくる編集対象画像を内蔵するメモリ（図示せず）に記憶する。そして、映像入出力制御部２７１は、タッチパネル２７２において編集入力がされたとき、編集対象画像上における、その入力位置を検出し、編集対象画像に反映させて編集用モニタ７１に表示させる。なお、図８においては、編集用モニタ７１とタッチパネル２７２は別の位置に示されているが、実際には積層して配置されている。
　【００６６】
　次に、図９乃至図１１のフローチャートを参照して、画像印刷装置１による撮影処理について説明する。
　【００６７】
　最初にステップＳ１において、ＣＰＵ２０１は、プログラム記憶部２０４に記憶されている、撮影の進行方法などのデモンストレーション画面（以下、デモ画面と称する）を、撮影用モニタ４１に表示させるとともに、映像入出力制御部２６１および２７１を制御し、編集用モニタ６１および７１にそれぞれ表示させる。
　【００６８】
　ステップＳ２において、ＣＰＵ２０１は、硬貨処理部２０７からの出力に基づいて、所定の代金（シールシートの作成代金）が投入されたか否かを判定し、投入されたと判定するまでデモ画面を表示して待機する。一方、ＣＰＵ２０１は、代金が投入されたと判定した場合、ステップＳ３に進み、操作パネル４２からの入力を受け付け、ユーザの指示によるカメラ２１の調整等の撮影準備を行う。このとき、ＣＰＵ２０１は、各種の機能や撮影方法を説明する説明画面を撮影用モニタ４１に表示させる。ユーザは、その撮影用モニタ４１に表示された説明画面に従って、カメラ２１の調整などを行う。なお、硬貨が投入されることに応じて、取り込み画像表示部２２には、カメラ２１が撮影している動画像が表示される。
　【００６９】
　ＣＰＵ２０１は、ステップＳ４において、ユーザが撮影開始を指示するために操作する操作パネル４２の撮影開始ボタンの受け付けを開始し、ステップＳ５において、所定の時間が経過したか否か、または、ユーザにより撮影開始のボタンが操作されたか否かを判定し、所定の時間が経過した、または、ユーザにより撮影開始ボタンが操作されたと判定するまで待機する。
　【００７０】
　所定の時間が経過した、または、ユーザにより撮影開始ボタンが操作されたと判定した場合、ＣＰＵ２０１は、ステップＳ６に進み、撮影用モニタ４１に、カウントダウンインジケータを表示させ、撮影を行う。このとき、カメラ２１により撮影されている画像が静止画としてＲＡＭ２０３に記憶される。
　【００７１】
　また、ＣＰＵ２０１は、撮影するタイミングとなったとき、照明装置３１を制御してフラッシュを被写体に照射するとともに、その瞬間にカメラ１２１により取り込まれている画像を、静止画像として保存し、画像記憶部２０６に記憶させる。
　【００７２】
　ステップＳ７において、ＣＰＵ２０１は、ステップＳ６で撮影した画像の確認画面を撮影用モニタ４１に表示させる。
　【００７３】
　そして、ＣＰＵ２０１は、ステップＳ８において、ユーザが操作パネル４２を操作することにより撮影した画像を編集対象画像として保存することを指示したか否かを判定する。指示したと判定した場合、ＣＰＵ２０１は、ステップＳ９に進み、撮影用モニタ４１に表示させた画像を画像記憶部２０６に保存し、ステップＳ１０に進む。
　【００７４】
　一方、ＣＰＵ２０１は、ステップＳ８において、撮影した画像を編集対象画像として保存することを指示していないと判定した場合、画像を保存せず、ステップＳ１０に進む。
　【００７５】
　ステップＳ１０において、ＣＰＵ２０１は、ユーザに再度撮影を行うか否かを選択させる再撮影確認画面を撮影用モニタ４１に表示させる。ユーザは、操作パネル４２を操作して指定することにより再撮影を指示するか、若しくは撮影作業の終了を指示することができる。
　【００７６】
　ＣＰＵ２０１は、ステップＳ１１において、ユーザが再撮影を指示したか否かを判定する。再撮影を指示していないと判定した場合、ＣＰＵ２０１は、ステップＳ１２に進み、所定の時間が経過したか否か、または、撮影終了を指示したか否かを判定する。所定の時間が経過しておらず、またユーザが撮影終了を指示していないと判定した場合、ＣＰＵ２０１は、ステップＳ１０に戻り、それ以降の処理を繰り返す。
　【００７７】
　所定の時間が経過した、または、ユーザが撮影終了を指示したと判定した場合、ＣＰＵ２０１は、撮影を終了する。
　【００７８】
　また、ステップＳ１１において、ユーザが再撮影を指示したと判定した場合、ＣＰＵ２０１は、ステップＳ１３に進み、残り撮影可能枚数が１枚以上あるか否かを判定する。ＣＰＵ２０１は、画像記憶部２０６に記憶された画像の枚数をカウントし、残り撮影可能枚数が１枚以上あると判定した場合、ステップＳ３に戻り、それ以降の処理を繰り返す。また、残り撮影可能枚数が０枚であると判定した場合、ＣＰＵ２０１は、撮影を終了する。
　【００７９】
　撮影を終了したＣＰＵ２０１は、ステップＳ１４において、映像入出力制御部２６１およびプリンタ９１の動作状態を確認し、第１の編集空間において編集処理を行うことができるか否かを判定する。ＣＰＵ２０１は、第１の編集空間において編集処理を行うことができると判定した場合、ステップＳ１５に進み、撮影空間にいるユーザを第１の編集空間に移動させるために、案内画面を撮影用モニタ４１に表示させる。
　【００８０】
　図１２は、撮影用モニタ４１に表示される案内画面の表示例を示す図である。
　【００８１】
　図１２において、案内画面３０１は、「こちらで、落書きしてね！」の文章と、第１の編集空間の場所を示す右向きの矢印を含む。これにより、撮影を終了したユーザは、編集作業を行う場所を把握することができる。
　【００８２】
　案内画面を表示させたＣＰＵ２０１は、ステップＳ１に戻り、次のユーザに対してそれ以降の処理を繰り返す。
　【００８３】
　ステップＳ１４において、第１の編集空間において編集処理を行うことができないと判定した場合、ＣＰＵ２０１は、ステップＳ１６に進み、映像入出力制御部２７１およびプリンタ９２の動作状態を確認し、第２の編集空間において編集処理を行うことができるか否かを判定する。ＣＰＵ２０１は、第２の編集空間において編集処理を行うことができると判定した場合、ステップＳ１７に進み、撮影空間にいるユーザを第２の編集空間に移動させるために、案内画面を撮影用モニタ４１に表示させる。
　【００８４】
　図１３は、撮影用モニタ４１に表示される案内画面の表示例を示す図である。
　【００８５】
　図１３において、案内画面３０２は、「こちらで、落書きしてね！」の文章と、第２の編集空間の場所を示す左向きの矢印を含む。これにより、撮影を終了したユーザは、編集作業を行う場所を把握することができる。
　【００８６】
　案内画面を表示させたＣＰＵ２０１は、ステップＳ１に戻り、次のユーザに対してそれ以降の処理を繰り返す。
　【００８７】
　ステップＳ１６において、第１の編集空間と、第２の編集空間のいずれにおいても、他のユーザが編集処理を行っていたり、プリンタ９１および９２が正常に動作して居なかったりして、撮影を終了したユーザが編集処理を行うことができないと判定した場合、ＣＰＵ２０１は、ステップＳ１８に進み、画像の撮り直しを行うか否か、またはゲームを行うか否かの処理選択画面を撮影用モニタ４１に表示させる。
　【００８８】
　処理選択画面を表示させたＣＰＵ２０１は、ステップＳ１９において、ユーザが操作パネル４２を操作して再撮影を指示したか否かを判定する。再撮影を指示したと判定した場合、ＣＰＵ２０１は、ステップＳ２０に進み、画像記憶部２０６に記憶された画像の中から消去する画像を選択させる再撮影画像確認画面を表示させる。再撮影画像確認画面を表示させたＣＰＵ２０１は、ステップＳ２１に進み、ユーザにより消去する画像が選択されたか否かを判定し、画像が選択されたと判定するまで、再撮影画像確認画面を表示しながら待機する。
　【００８９】
　ユーザが操作パネル４２を操作して、消去する画像を選択したと判定した場合、ＣＰＵ２０１は、ステップＳ２２において、選択された画像を消去し、再度撮影を行う。再撮影を行ったＣＰＵ２０１は、ステップＳ１４に戻り、それ以降の処理を繰り返す。
　【００９０】
　また、ステップＳ１９において、ユーザが再撮影を指示していないと判定した場合、ＣＰＵ２０１は、ステップＳ２３に進み、撮影用モニタ４１にゲーム画面を表示し、もぐらたたき等のゲームに関する処理を行う。ゲームが終了すると、ＣＰＵ２０１は、ステップＳ１４に戻り、それ以降の処理を繰り返す。
　【００９１】
　以上のような、再撮影やゲーム等の処理により、ユーザは、編集処理までの時間を退屈せずに待つことができる。
　【００９２】
　図１１のステップＳ１５において案内画面を撮影用モニタ４１に表示し、撮影空間にいるユーザを第１の編集空間に誘導すると、ＣＰＵ２０１は、第１の編集空間に移動したユーザに対して、編集処理を実行する。
　【００９３】
　画像印刷装置１による編集処理を図１４のフローチャートを参照して説明する。
　【００９４】
　最初にステップＳ４１において、ＣＰＵ２０１は、画像記憶部２０６に記憶された編集対象画像を取得する。そしてＣＰＵ２０１は、ステップＳ４２に進み、映像入出力制御部２６１を介して、編集用モニタ６１に取得した編集対象画像、編集機能ボタン、編集終了ボタンを含む編集画面を表示させ、ユーザがタッチペン６２を操作して行われる編集入力の受け付けを開始する。ユーザは、表示された画像に対してタッチペン６２を操作することにより、画像に落書きなどの編集を行う。
　【００９５】
　ＣＰＵ２０１は、ステップＳ４３において、ユーザがタッチペン６２を操作して入力した編集情報をリアルタイムに編集対象画像に重ね合わせた編集画像を、映像入出力制御部２６１を介して、編集用モニタ６１に表示させる。これにより、ユーザは、編集した画像を参照しながら、さらなる編集を行うことができる。
　【００９６】
　ステップＳ４４において、ＣＰＵ２０１は、予め決められた所定の時間が経過したか否か、または、ユーザがタッチペン６２を操作することにより、編集画面に表示された編集終了ボタンを操作されたか否かを判定し、所定の時間が経過した、または、編集終了ボタンが表示されたと判定するまで、編集画像を表示しながら待機する。
　【００９７】
　ユーザの操作により、所定の時間が経過した、または、編集終了ボタンが表示されたと判定した場合、ＣＰＵ２０１は、ステップＳ４５に進み、編集入力の受け付けを終了する。
　【００９８】
　ステップＳ４６において、ＣＰＵ２０１は、編集データである編集画像に基づいて、撮影された編集対象画像と編集画像を重畳し、印刷データを作成する。
　【００９９】
　印刷データを作成したＣＰＵ２０１は、ステップＳ４７において、プリンタ９１の動作状態を確認し、プリンタ９１のステータスが正常か否かを判定する。正常であると判定した場合、ＣＰＵ２０１は、ステップＳ４８に進み、プリンタ９１を制御し、印刷処理を実行させる。これにより、シールに被写体の画像とこれに加えた落書きが重畳された画像が印刷されることになる。
　【０１００】
　ステップＳ４９において、ＣＰＵ２０１は、プリンタ９１により印刷されたシールを印刷物取り出し口６４から排出させる。シールを排出させたＣＰＵ２０１は編集処理を終了する。
　【０１０１】
　また、ステップＳ４７において、プリンタ９１のステータスが正常でない場合には、ステップＳ５０に進み、ＣＰＵ２０１は、エラーメッセージを編集用モニタ６１に表示させ、ステップＳ４７に戻り、それ以降の処理を繰り返す。
　【０１０２】
　以上のように、第１の編集空間にいるユーザに対して編集処理が行われる。
　【０１０３】
　また、図９のステップＳ１７において、案内画面を撮影用モニタ４１に表示し、撮影空間にいるユーザを第２の編集空間に誘導すると、ＣＰＵ２０１は、第２の編集空間に移動したユーザに対して、編集処理を実行する。
　【０１０４】
　この編集処理は、編集用モニタ６１に対応する編集用モニタ７１、タッチペン６２に対応するタッチペン７２、スピーカ６３に対応するスピーカ７３、印刷物取り出し口６４に対応する印刷物取り出し口７４、映像入出力制御部２６１に対応する映像入出力制御部２７１、タッチパネル２６２に対応するタッチパネル２７２、音声出力制御部２６３に対応する音声出力制御部２７３、および、プリンタ９１に対応するプリンタ９２が用いられて実行され、その処理は、基本的に図１４に示す編集処理と同様であるので、その説明は省略する。
　【０１０５】
　以上において、撮影処理、第１の編集空間にいるユーザに対する編集処理、および第２の編集空間にいるユーザに対する編集処理は、それぞれ独立に平行して行われる。その結果、撮影空間におけるユーザの撮影処理、第１の編集空間におけるユーザの編集処理、および第２の編集空間におけるユーザの編集処理が独立に行われ、効率的にユーザを回転させることが可能となる。
　【０１０６】
　また以上において、印刷媒体はシールシートとして説明したが、シールシートに限られるものではなく、例えば、所定のサイズの紙や、ポスター用の紙などに印刷するようにしてもよい。また、撮影した画像データを、ユーザが自ら用意したフロッピディスクなどの記録媒体に記録させることができるようにしてもよい。
　【０１０７】
　なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
　【０１０８】
　【発明の効果】
　以上のように、本発明によれば、ユーザの回転率を向上させ、順番待ちの時間を短縮することができる。
【図面の簡単な説明】
　【図１】
　本発明を適用した画像印刷装置の構成例を示す斜視図である。
　【図２】
　画像印刷装置の左側面の構成例を示す斜視図である。
　【図３】
　画像印刷装置の背面の構成例を示す斜視図である。
　【図４】
　画像印刷装置の上面図である。
　【図５】
　蓋部材を開いた状態を示す要部斜視図である。
　【図６】
　画像印刷装置の配置例を示す斜視図である。
　【図７】
　画像印刷装置の配置例を示す斜視図である。
　【図８】
　画像印刷装置の内部の構成例を示すブロック図である。
　【図９】
　画像印刷装置による撮影処理について説明するフローチャートである。
　【図１０】
　画像印刷装置による撮影処理について説明する、図９に続くフローチャートである。
　【図１１】
　画像印刷装置による撮影処理について説明する、図１０に続くフローチャートである。
　【図１２】
　案内画面の表示例を示す図である。
　【図１３】
　案内画面の表示例を示す図である。
　【図１４】
　画像印刷装置による編集処理を説明するフローチャートである。
　【符号の説明】
　１　画像印刷装置
　２０　撮影装置
　２１　カメラ
　４１　撮影用モニタ
　４２　操作パネル
　５２　スピーカ
　６１　編集用モニタ
　６２　タッチペン
　６３　スピーカ
　６４　印刷物取り出し口
　７１　編集用モニタ
　７２　タッチペン
　７３　スピーカ
　７４　印刷物取り出し口
　９１，９２　プリンタ
　２０１　ＣＰＵ
　２０２　ＲＯＭ
　２０３　ＲＡＭ
　２５１　音声出力制御部
　２６１　映像入出力制御部
　２６２　タッチパネル
　２６３　音声出力制御部
　２７１　映像入出力制御部
　２７２　タッチパネル
　２７３　音声出力制御部